(57)【特許請求の範囲】
【請求項１】
４側面からなる四角柱状の組立て紙箱において、互いに相対向する１組の側面の上縁に、紙箱内へ向けて折曲される折込フラップが延設され、更に、該フラップの外側部が紙箱内へ向けて折返されて二重構造の折曲片に形成され、相対向する両折曲片は、紙箱上面を形成し、両折曲片の折返された先端縁は、紙箱上面中央で互いに当接され、かつ夫々の中心に半円形の切り欠きが形成され、該切り欠きが接して、箱の中心部の位置に丸孔が形成されており、該丸孔には、取付部と該取付部の上部に間隔を存して設けられたフランジとが形成された、プラスチック製袋の注出口用頸部が、前記取付部とフランジ間の両側から前記両折曲片の折返された先端縁が挿入されて固定されている組立て紙箱。
【請求項２】
互いに相対向する１組の側面の上縁に延設される折込フラップ本体の左右両端縁に、接着片が延設されている請求項１記載の組立て紙箱。
【請求項３】
４側面からなる四角柱状の組立て紙箱において、互いに相対向する１組の側面の上縁に、紙箱内へ向けて折曲される折込フラップが延設され、更に、該フラップの外側部が紙箱内へ向けて折返され、かつ断面コ字状の空間部を形成すると共に、相対向する両折曲片は、紙箱上面を形成し、両折曲片の折返された先端縁は、紙箱上面中央で互いに当接され、かつ夫々の中心に半円形の切り欠きが形成され、該切り欠きが接して、箱の中心部の位置に丸孔が形成され、該丸孔には、取付部と該取付部の上部に間隔を存して設けられたフランジとが形成された、プラスチック製袋の注出口用頸部が、前記取付部とフランジ間の両側から前記両折曲片の折返された先端縁が挿入されて固定されており、他方、相対向する他の１組の側面の上縁に、前記折込フラップの断面コ字状の空間部内に挿入する係止片が延設されている組立て紙箱。
【請求項４】
前面側が低く形成され、紙箱上面が、傾斜面と平面からなり、該傾斜面の段差を有する側縁に、断面コ字状の空間部を形成する折込フラップが延設され、互いに相対向する傾斜縁に、係止片が延設されている請求項３記載の組立て紙箱。
【発明の詳細な説明】
【０００１】
【発明の属する技術分野】
本発明は、酒、各種飲料、その他の液体又は粉状、粒状物等の流動物を収納する組立て紙箱で、更に詳しくは流動物を収納するプラスチック製袋の保持に適した組立て紙箱に関するものである。
【０００２】
【従来の技術】
酒、各種飲料を収納する紙箱は、基材たる厚紙内面に、液体の漏洩又は湿気を防止するため、塩化ビニル、ポリエチレン若しくはポリプロピレン等のプラスチック製のフィルムを積層したもの又はプラスチック塗料のコーティングを施し、内容物の漏洩防止及び耐湿性としたものが広く使用されている。近年、各種廃棄物の処理が社会問題として台頭しており、特に、紙箱表面にプラスチックフィルムを積層したもの又はプラスチック塗料をコーティングしたものは、廃棄処分の燃焼の際に有害物質の発生が懸念され、公害問題を惹起することが指摘されている。
【０００３】
【発明が解決しようとする課題】
本発明は、前述従来の紙箱の有する問題点に鑑み、紙箱内へ折曲された折込みフラップを有する厚紙製の紙箱において、紙箱上面の強度を高め、紙箱内面にプラスチックをコーティングすることなく、内部にプラスチック製袋を収納し、該袋を保持し、しかも廃棄処理に当り、材質である紙とプラスチックとが簡単に分離できる組立て紙箱を提供することを課題としている。
【０００４】
【課題を解決するための手段】
前記課題を解決するため、請求項１の発明によれば、４側面からなる四角柱状の組立て紙箱において、互いに相対向する１組の側面の上縁に、紙箱内へ向けて折曲される折込フラップが延設され、更に、該フラップの外側部が紙箱内へ向けて折返されて二重構造の折曲片に形成され、相対向する両折曲片は、紙箱上面を形成し、両折曲片の折返された先端縁は、紙箱上面中央で互いに当接され、かつ夫々の中心に半円形の切り欠きが形成され、該切り欠きが接して、箱の中心部の位置に丸孔が形成されており、該丸孔には、取付部と該取付部の上部に間隔を存して設けられたフランジとが形成された、プラスチック製袋の注出口用頸部が、前記取付部とフランジ間の両側から前記両折曲片の折返された先端縁が挿入されて固定されている組立て紙箱が提供される。請求項１の発明では、互いに相対向する１組の側面の上縁に、紙箱内へ向けて折曲される折込フラップが延設され、更に、該フラップの外側部が紙箱内へ向けて折返され、該外側部と折込フラップ本体とで二重構造の折曲片に形成され、相対向する両折曲片は、紙箱上面を形成し、両折曲片の先端縁は、紙箱上面中央で互いに当接され、かつ夫々の中心に半円形の切り欠きが形成され、該切り欠けが接して紙箱の中心部に丸孔が形成され、紙箱上面の強度が一層向上して平面の強度を高め、プラスチック製袋を安定して保持することを可能ならしめた。
【０００５】
請求項２の発明では、請求項１の発明における折込みフラップの左右両端縁に接着片が形成され、該接着片で折込フラップを接着し、簡単な構造で紙箱上面の強度と安定性をさらに高めた。
【０００６】
請求項３の発明によれば、４側面からなる四角柱状の組立て紙箱において、互いに相対向する１組の側面の上縁に、紙箱内へ向けて折曲される折込フラップが延設され、更に、該フラップの外側部が紙箱内へ向けて折返され、かつ断面コ字状の空間部を形成すると共に、相対向する両折曲片は、紙箱上面を形成し、両折曲片の折返された先端縁は、紙箱上面中央で互いに当接され、かつ夫々の中心に半円形の切り欠きが形成され、該切り欠きが接して、箱の中心部の位置に丸孔が形成され、該丸孔には、取付部と該取付部の上部に間隔を存して設けられたフランジとが形成された、プラスチック製袋の注出口用頸部が、前記取付部とフランジ間の両側から前記両折曲片の折返された先端縁が挿入されて固定されており、他方、相対向する他の１組の側面の上縁に、前記折込フラップの断面コ字状の空間部内に挿入する係止片が延設されている組立て紙箱が提供される。請求項３の発明では、４側面からなる四角柱状の組立て紙箱において、互いに相対向する１組の側面の上縁に、紙箱内へ向けて折曲される折込フラップが延設され、該フラップの外側部が紙箱内へ向けて折返され、該外側部と折込フラップ本体とで、断面コ字状の空間部を形成すると共に、相対向する両折曲片は、紙箱上面を形成し、両折曲片の折返された先端縁は、紙箱上面中央で互いに当接され、かつ夫々の中心に丸孔が形成されており、他方、相対向する他の１組の側面の上縁に、前記折込フラップの断面コ字状の空間部内に挿入する係止片が延設され、該係止片が前記断面コ字状の空間部内に挿入されて組付けられ、紙箱上面の強度が向上し、さらに安定性を高めた。
【０００７】
請求項４の発明では、請求項３の発明における紙箱上面が、前面側が低く後面側が高く形成された傾斜面と平面からなり、該傾斜面の段差を有する側縁に、断面コ字状の空間部を形成する折込フラップが延設され、互いに相対向する傾斜面側縁に、係止片が延設され、該係止片を前記断面コ字状の空間部内へ挿入して折込フラップを固定し、紙箱上面の強度、安定性が向上し、更に紙箱の積み重ねを容易ならしめ、収納床面積を少なくすることを可能ならしめた。
【０００８】
【発明の実施の形態】
図１及び図２は、本発明の紙箱を説明するための紙箱用ブランク及び紙箱を示しており、図２に示される紙箱１は、図１に示されるブランクから折畳んで成形されたもので、図１に示される如く、ブランク２は右側面３、前側面４、左側面５、後側面６及び糊代部７が一連に連続され、前側面４と後側面６の上縁に折込フラップ８、８が延設され、該両折込フラップ８の中心に丸孔９が形成され、前側面４、後側面６の下縁に紙箱内へ折曲される折込片１０と、右側面３、左側面５の下縁に紙箱内へ折曲される折込片１１が夫々延設され、紙箱内へ折曲げ底部を形成するものである。底部の構造は従来の厚紙製の紙箱の基本構造とほぼ同一構造である。尚、折込フラップ８、８を右側面３、左側面５の上縁に延設すること並びに底部を形成する折込片１０を右側面３、左側面５の下縁に延設すること及び折込片１１を前側面４、後側面６の下縁に延設する等任意に変更できる。
【０００９】
図２に示した紙箱を成形するため、前記ブランク２の折曲線１３、１４、１５、１６で右側面３、前側面４、左側面５、後側面６、糊代部７が直角に折曲げて紙箱外形を形成し、前側面４、後側面６の折込フラップ８を夫々折曲線１７で紙箱内へ折曲げ、両折込フラップ８を重ね合わせて二重構造に形成する。また、糊代部７を右側面３内面に接着し、同時に底部の折込片１０を折曲線１２で折曲げると共に、折込片１０、１１を折曲線１８と１９で夫々折曲げ接着して底部とし、図２の紙箱１が形成される。紙箱上面が二重構造に形成されているため、比較的薄い厚紙の使用も可能である。また、図示を省略したが、図２に示す折込フラップ８の互いに相反する左右両端縁の一方に接着片を延設し、該接着片を右側面３又は左側面５内面に接着することもでき、これによって紙箱上面の強度、安定性を高めることができる。尚、二重構造に形成された両折込フラップ８、８は適宜接着剤で接着してもよい。
【００１０】
図３、図４は、本発明の紙箱を説明するための紙箱用ブランク及び紙箱の他の例を示しており、図４に示される紙箱１（尚、図４では内部に収納するプラスチック製袋のキャップＫを記載した。以下の斜視図も同様とする。）は、図３に示されるブランクから折畳んで成形されたもので（図３中、図１と同一符号は同一部材である）、前側面４、後側面６の上縁に位置して紙箱上面半裁とされた折込フラップ２０が延設され、折込フラップ２０の左右両端縁に接着片２１が延設され、また、右側面３、左側面５の上縁に折込フラップ２２が延設され、両折込フラップ２０、２２の先端縁中央に、夫々半円形の切欠き２３が形成されている。該折込フラップ２０、２２は、紙箱上面半裁とされた厚紙が右側面３、前側面４、左側面５、後側面６上縁に延設され、折込フラップ２０、該折込フラップ２０の左右両端縁の接着片２１並びに先端縁中央の半円形の切欠きは打抜き加工によって簡単に形成できる。
【００１１】
図４に示した紙箱は、紙箱上面半裁とされた折込フラップ２２を折曲線２５で紙箱内へ折曲げ、折込フラップ２２の先端縁が紙箱上面中央で互いに当接し、折込フラップ２２の先端縁に形成した半円形が接して丸孔に形成され、次いで、折込フラップ２０を折曲線１７で紙箱内へ折曲げ、折込フラップ２０の先端縁が紙箱上面中央で互いに当接し、折込フラップ２０の先端縁に形成した半円形が接して丸孔に形成され、接着片２１を折曲線２４で折曲げて右側面３、左側面５の外面に接着し、図４のように前記折込フラップ２０及び２２が重ねられて二重構造に形成されると共に、両折込フラップ２０及び２２の当接により形成された丸孔が合致し、図４の紙箱１が形成される。
【００１２】
尚、重ね合わされている折込フラップ２０及び２２は接着剤で接着してもよい。また丸孔９内には、後述する紙箱１内へ収納するプラスチック製袋の注出用口頸部を挿入し、該注出用口頸部にキャップＫを螺着する。また、右側面３、前側面４、左側面５、後側面６、糊代部７はブランク２の折曲線１３、１４、１５、１６で直角に折曲げて紙箱外形を成形し、前側面４、後側面６下縁の折込片１０と右側面３、左側面５下縁の折込片１１を折込み組付けて底部を形成する点は図２に示した紙箱と同様である。
【００１３】
図５、図６は請求項１の発明の実施の一例を示しており、図６に示される紙箱１は、図５に示されるブランクから折畳んで成形されたもので（図５中、図１と同一符号は同一部材である）、図５に示される如く、前側面４、後側面６上縁に延設された折込フラップ２６は、中心に形成された丸孔９の軸心を通り、折曲線１７に平行な内折線２７が形成され、折込フラップ２６の外側縁に接着片２８が延設されている。
【００１４】
請求項１の発明にかかる紙箱は、折込フラップ２６を折曲線１７で紙箱内へ折曲げると共に、該折込フラップ２６の外側部２６ｂを内折線２７で折返し、折込フラップ２６の本体２６ａとで二重構造の折曲片を形成し、接着片２８を夫々折曲線２９で折曲げて前側面４、後側面６内面に接着し、両折曲片は図６に示すように折曲片３０の外縁が紙箱上面中央で互いに当接され、かつ内折線２７に形成されている半円形の切欠きが接して丸孔に形成され、図６に示す紙箱１が形成される。
【００１５】
尚、右側面３、前側面４、左側面５、後側面６、糊代部７はブランク２の折曲線１３、１４、１５、１６で直角に折曲げて紙箱外形を成形すること、折込片１０と折込片１１を折込み組付けて底部を形成する点は図２に示した紙箱と同様である。また半円形の切欠きが接して形成された丸孔にプラスチック製の袋の注出用口頸部を挿入し、該注出用口頸部にキャップＫを螺着する点は図４に示した紙箱と同様である。
【００１６】
図７は、請求項２の発明にかかる紙箱のブランクの一実施例を示したもので、折込フラップ２６の左右両端縁に接着片３１が延設されており（図７中図５と同一符号は同一部材である）、図示は省略したが、該接着片３１を折曲線１３、１４、１５、１６の延長線上の折曲線３２で折曲げて右側面３、左側面５外面又は内面に接着し、紙箱上面の折込フラップ２６が接着片２８と左右両端縁の接着片３１とで紙箱側面に固定されるため、請求項１の発明における紙箱上面より強度と安定性を一段と高めることができる。
【００１７】
図８、図９は、請求項３の発明の一実施例を示しており、図９に示される紙箱１は、図８に示されるブランクから折畳んで成形されたもので（図８中図１と同一符号は同一部材である）、前側面４、後側面６の上縁に折込フラップ３３が延設され、該両折込フラップ３３、３３の紙箱上面の中心に丸孔９が形成され、該丸孔９の軸心を通り、折曲線１７に平行な内折線２７が形成され、他方、右側面３、左側面５の上縁に、２つの係止片３４が夫々延設されている。尚、図８では、ブランク２は、後側面６、右側面３、前側面４、左側面５及び糊代部７が一連に連続したものとして記載されているが、ブランクの形態は任意に設定でき、また折込フラップ３３、係止片３４の延設位置も任意に変更できる。
【００１８】
前記請求項３の発明に係る紙箱１は、折込フラップ３３を折曲線１７で紙箱内へ折曲げると共に、外側部３３ｂを内折線２７で紙箱内側へ折返し、折込フラップ本体３３ａと外側部３３ｂとで断面コ字状の空間部を形成し、両折曲片は図９に示すように折曲片３５の外縁が紙箱上縁中央で互いに当接され、かつ内折線２７に形成されている半円形の切欠きが接して丸孔に形成され、他方、右側面３、左側面５上縁に延設されている係止片３４を折曲線３６で折曲げ、前記折込フラップ３３の断面コ字状の空間部内へ挿入して図９に示す紙箱１が形成される。
【００１９】
また、右側面３、前側面４、左側面５、後側面６、糊代部７はブランク２の折曲線１３、１４、１５、１６で直角に折曲げて紙箱外形を成形し、前側面４、後側面６下縁の折込片１０と右側面３、左側面５下縁の折込片１１を折込み組付けて底部を形成する点は図２に示した紙箱と同様であり、また半円形の切欠きが接して形成された丸孔にプラスチック製袋の注出用口頸部を挿入し、該注出用口頸部にキャップＫを螺着する点は図４に示した紙箱と同様である。
【００２０】
前記右側面３、左側面５上縁に延設されている係止片３４は、右側面３、左側面５上部で、かつ折曲線３６を挟んだ両側に、対象的に２本の斜めの切込線３７、３７が形成され、該２本の切込線３７の他端に、折曲線３６に平行な折曲線３８が形成されている。係止片３４は、折曲線３６と折曲線３８で折曲しつつ前記折込フラップ３３の断面コ字状の空間部内へ挿入する。前記切込線３７は、折曲線３６と角度２０〜７０°程度傾斜して形成するのが好ましい。該角度θが７０°以上では紙箱の強度的に無理がある。前記折込フラップ３３と係止片３４とを組付けることによって紙箱上面の強度、安定性が一段と向上する。
【００２１】
図１０、図１１は、請求項４の発明の一実施例を示しており、図１１に示される紙箱１は、図１０に示されるブランクから折畳んで成形されたもので（図１０中図８と同一符号は同一部材である）、前側面４が右側面３、左側面５より短く形成され、前側面４上縁に折込フラップ３９が延設され、また後側面６は右側面３、左側面５と同一長さとされ、後側面６上縁の折曲線１７と折曲線４０との間に余白部４１を存し、該折曲線４０外縁に折込フラップ４２が延設されている。折込フラップ３９、４２の中心に位置して丸孔９が形成され、該丸孔９の軸心で、かつ折曲線１７１、１７に平行な内折線２７が形成されている。
【００２２】
他方、右側面３、左側面５の上縁に、前側面４左右両側に、対象的に斜めの折曲線４３と、後側面６上縁の折曲線１７の延長線上に位置する折曲線４４とが連接され、該折曲線４３外縁に２つの係止片４５が延設され、折曲線４４外縁に接着片４６が延設されている。また前側面４、後側面６及び右側面３、左側面５下縁に、夫々紙箱内へ折曲される折込片４７、４８が夫々延設されている。尚、前記折込片４７、４８は請求項１〜３の発明のものと形状が相違しているが、従来の厚紙製の紙箱の基本構造とほぼ同一構造である。
【００２３】
請求項４の発明に係る紙箱は、折込フラップ３９を折曲線１７１で紙箱内へ折曲げ、折込フラップ４２を折曲線１７で紙箱内へ折曲げ、更に折込フラップ４２を折曲線４０で紙箱内へ折曲げると共に、折込フラップ３９、４２の外側部３９ｂ、４２ｂを内折線２７で紙箱内へ折曲げ、折込フラップ本体３９ａと外側部３９ｂ、折込フラップ本体４２ａと外側部４２ｂとで夫々断面コ字状の空間部を有する折曲片に形成し、両折曲片の外縁が傾斜面中央で互いに当接され、かつ内折線２７に形成されている半円形の切欠きが接して丸孔に形成される。
【００２４】
他方、右側面３、左側面５上縁の係止片４５を折曲線４３で紙箱内へ折曲げ、係止片４５を前記断面コ字状の空間部内へ挿入すると共に、接着片４６を折曲線４４で折曲げ、後側面６の折曲線１７と折曲線４０間の余白部４１裏面両側から接着して紙箱上面の平面を形成し、図１１に示すように両折曲片４９が紙箱上面中央で当接した傾斜面５０と平面５１とに形成され、図１１の紙箱１が形成される。尚、係止片４５を前記断面コ字状の空間部内へ挿入する際は、請求項３と同様折曲線４３と３８の共同作用によって行われる。
【００２５】
前記傾斜面５０では、注出用口頸部に螺着されているキャップＫが前側面４方向に傾斜し、キャップＫ上縁が、平面５１と同一高さとされている。従って、紙箱を積み重ねた場合、上部に重ねられる紙箱がキャップＫ上縁と平面５１とで支えられるため、複数の紙箱を順次上部に重ねることが可能である。尚、右側面３、前側面４、左側面５、後側面６、糊代部７はブランク２の折曲線１３、１４、１５、１６で直角に折曲げて紙箱外形を成形し、前側面４、後側面６及び右側面３、左側面５下縁の折込片４７、４８を折込み組付けて底部を形成する点は図２に示した紙箱と同様であり、また半円形の切欠きが接して形成された丸孔にプラスチック製袋の注出用口頸部を挿入し、該注出用口頸部にキャップＫを螺着する点は図４に示した紙箱と同様である。
【００２６】
図１２は、図６に示す紙箱内にプラスチック製袋を収納した一例を示したもので、プラスチック製袋Ｐは、紙箱１内部に収納できる大きさで、該袋Ｐの口に注出用口頸部１０１が取付けられ、該注出用口頸部１０１は、ネジキャップを螺合すべき雄ネジ１０２が外周面に形成され、該注出用口頸部１０１の基部に、取付部１０３と、該取付部１０３の若干上部に間隔を存してフランジ１０４が設けられており、該注出用口頸部１０１と一体的に成形されている。取付部１０３は、上板１０５と両側壁部１０６で横断面ほぼ舟型状に形成され、注出用口頸部１０１の内孔１０７は、取付部１０３の内孔１０８に連通しており、該取付部１０３の両側壁部１０６の側面にプラスチック製袋Ｐの縁が熱融着されている。
【００２７】
前記プラスチック製袋Ｐは、紙箱上面の折曲片３０の先端縁に形成された半円形の切欠きに、注出用口頸部１０１とフランジ１０４とを紙箱外部に出し、取付部１０３を該箱の内部とし、両折曲片３０を取付部１０３とフランジ１０４間の両側から挿入して注出用口頸部１０１を固定する。尚、前記取付部１０３は、横断面舟型状のものに限られず、紙箱内部に挿入できるものであれば横断面が円筒形、四角形等何れであってもよい。また、本各発明における折込フラップ外側部を折返した折曲片の半円形の切欠きは、プラスチック製袋Ｐの注出用口頸部１０１を組付ける際の容易さを考慮し、折込フラップの強度に影響しない程度に丸孔の外周放射方向に複数の切れ目を設けてもよい。
【００２８】
【発明の効果】
請求項１の発明によると、紙箱上面に延設された折込みフラップは、折込フラップの外側部が折返され、夫々の折込フラップが折込フラップ本体と該外側部とで二重構造に形成されているから、比較的薄い厚紙の使用が可能であり、しかも紙箱上面の強度が高く、安定性もよいため、収納するプラスチック製袋の注出用口頸部を確実に保持することができ、厚紙の打抜き工程、切片の除去工程、折畳工程等も従来と同様であり、手組による製造は勿論のこと、機械的な連続製造も可能であるから生産効率の向上及び製造コストの低減に資することができる。またプラスチック製袋に液状物又は粒状物を収納した状態で移送或は輸送しても、移送、輸送に伴う振動によるプラスチック製袋の損傷のおそれはなく、また紙箱が損傷してプラスチック製袋が紙箱外へ飛び出す等のおそれは全くない。また、折込フラップの外側部が折返され、夫々の折込フラップが折込フラップ本体と該外側部とで二重構造に形成されているため、重ね合わせる別個の折込フラップを別個に形成する必要がなく、構造が簡単で、紙箱上面の強度、安定性も優れている。
【００２９】
請求項２の発明によると、請求項１の発明の折込フラップ外側縁の接着片及び左右両端縁の接着片で折込フラップが確実に紙箱上面として固定されるため、折込フラップは強度、安定性共に優れている。
【００３０】
請求項３の発明によると、折込フラップの折曲片で形成した断面コ字状の空間部に、相対向する他の１組の側面上縁の係止片を挿入し、該係止片で折込フラップが固定されているので、紙箱上面の強度、安定性は一段と向上し、該紙箱内に収納するプラスチック製袋の注出用口頸部を確実に保持することができる。
【００３１】
請求項４の発明によると、紙箱上面が傾斜面と平面とに形成されており、紙箱内に収納するプラスチック製袋の注出用口頸部が傾斜面に取付けられ、該注出用口頸部に螺着するキャップ上縁が平面と同一高さとされているため、紙箱上に複数の紙箱を重ねることができ、紙箱の収納保管が容易である。
【図面の簡単な説明】
【図１】本発明の紙箱を説明するための紙箱用ブランクの展開平面図である。
【図２】図１のブランクから成形された紙箱の斜視図である。
【図３】本発明の紙箱を説明するための紙箱用ブランクの他の一例の展開平面図である。
【図４】図３のブランクから成形された紙箱の斜視図である。
【図５】実施の一例のブランクの展開平面図である。
【図６】図５のブランクから成形された紙箱の斜視図である。
【図７】図７は、他の実施の一例の展開平面図である。
【図８】他の実施の一例のブランクの展開平面図である。
【図９】図８のブランクから成形された紙箱の斜視図である。
【図１０】他の実施の一例のブランクの展開平面図である。
【図１１】図１０のブランクから成形された紙箱の斜視図である。
【図１２】紙箱にプラスチック製袋を収納した一例の要部側面図である。
【符号の説明】
１ 組立て紙箱
３ 右側面
４ 前側面
５ 左側面
６ 後側面
７ 糊代部
８、２０、２２、２６、３３、３９、４２ 折込みフラップ
９ 丸孔
１０、１１、４７、４８ 折込片
１２、１３、１４、１５、１６、１７、１７１、１８、１９、２０、２４、２５、２９、３２、３６、３８、４０、４３、４４ 折曲線
２１、２８、３１、４６ 接着片
２７ 内折線
３０、３５、４９ 折曲片
３７ 切込線
４１ 余白部
３４、４５ 係止片
５０ 傾斜面
５１ 平面
Ｋ キャップ
Ｐ プラスチック製袋
【図１】
0004169297.tif 000002
【図２】
0004169297.tif 000003
【図３】
0004169297.tif 000004
【図４】
0004169297.tif 000005
【図５】
0004169297.tif 000006
【図６】
0004169297.tif 000007
【図７】
0004169297.tif 000008
【図８】
0004169297.tif 000009
【図９】
0004169297.tif 000010
【図１０】
0004169297.tif 000011
【図１１】
0004169297.tif 000012
【図１２】
0004169297.tif 000013